(57)【要約】【課題】本発明は通常の紙文書を通常の読取装置で電子データに変換した場合でも改竄を検出することができる。【解決手段】本発明は、紙文書を光学的に読み取って得られた階調画像データに画像処理を施して紙文書に施された改竄を検出するための画像処理装置である。そして、本発明は、階調画像データの所定の階調値を増幅し、かつ所定階調値以外の階調値を減衰する階調処理手段と、紙文書の表面を読み取って得られた第１の階調画像データと、紙文書の裏面を読み取って得られた第２の階調画像データとに基づいて算出した階調変換出力データに応じて、紙文書に改竄が施されたか否かを検出する演算手段とを有している。よって、通常の紙文書を通常の読取装置で電子データ化した場合でも改竄を検出できる。【選択図】        図１
2007124616.tif 000002
【特許請求の範囲】
【請求項１】
紙文書を光学的に読み取って得られた階調画像データに画像処理を施して前記紙文書に施された改竄を検出する画像処理装置において、
前記階調画像データの所定階調値を増幅し、かつ所定階調値以外の階調値を減衰する階調処理手段と、
前記紙文書の表面を読み取って得られた第１の階調画像データと、前記紙文書の裏面を読み取って得られた第２の階調画像データとに基づいて算出した階調変換出力データに応じて、前記紙文書に改竄が施されたか否かを検出する演算手段と
を有することを特徴とする画像処理装置。
【請求項２】
前記演算手段は、前記第１及び第２の階調画像データを反転処理する反転処理手段と、前記反転処理手段で反転処理された前記第１及び第２の階調画像データの差分データを算出する差分算出手段と、前記差分データに基づき前記紙文書に改竄が施されたか否かを判断する判断手段とを有することを特徴とする請求項１に記載の画像処理装置。
【請求項３】
前記演算手段は、前記第１及び第２の階調画像データを反転処理する反転処理手段と、前記反転処理手段で反転処理された前記第１及び第２の階調画像データに基づき電子透かし画像データを出力する電子透かし演算手段と、前記電子透かし画像データに基づき前記紙文書に改竄が施されたか否かを判断する判断手段とを有することを特徴とする請求項１に記載の画像処理装置。
【請求項４】
紙文書を光学的に読み取って得られた階調画像データに画像処理を施して前記紙文書に施された改竄を検出する画像処理方法において、
前記階調画像データの所定階調値を増幅し、かつ所定階調値以外の階調値を減衰する階調処理工程と、
前記紙文書の表面を読み取って得られた第１の階調画像データと、前記紙文書の裏面を読み取って得られた第２の階調画像データとに基づいて算出した階調変換出力データに応じて、前記紙文書に改竄が施されたか否かを検出する演算工程と
を有することを特徴とする画像処理方法。
【請求項５】
前記演算工程は、前記第１及び第２の階調画像データを反転処理する反転処理工程と、前記反転処理で反転処理された前記第１及び第２の階調画像データの差分データを算出する差分算出工程と、前記差分データに基づき前記紙文書に改竄が施されたか否かを判断する判断工程とを有することを特徴とする請求項４に記載の画像処理方法。
【請求項６】
前記演算工程は、前記第１及び第２の階調画像データを反転処理する反転処理工程と、前記反転処理で反転処理された前記第１及び第２の階調画像データに基づき電子透かし画像データを出力する電子透かし演算工程と、前記電子透かし画像データに基づき前記紙文書に改竄が施されたか否かを判断する判断工程とを有することを特徴とする請求項４に記載の画像処理方法。
【請求項７】
コンピュータにより請求項４〜６のいずれか１項に記載の画像処理方法を実行させるためのプログラムを格納したコンピュータ読み取り可能な記録媒体。
【発明の詳細な説明】
【技術分野】
【０００１】
本発明は画像処理装置、画像処理方法及び該方法を実行させるためのプログラムを格納したコンピュータ読み取り可能な記録媒体に関し、詳細には原稿に施された改竄を検出できる画像処理の技術に関する。
【背景技術】
【０００２】
２００４年１１月に制定された電子文書法の施行に伴い、紙文書を電子データとして保存する機会が増加してくるものと考えられている。この電子文書法とは、保存が義務付けられた文書の電子化を認める法律である。紙文書をスキャナなどの読取装置で読み取った画像データも一定の要件を満たせば原本として認められる。これにより、ビジネスを進める上で必要とされる文書、帳票類の印字、流通及び保存にかかるコストが大幅に削減され、企業間商取引の電子化が一層推進されると期待される。
【０００３】
このような法制定により、紙の文書を読取装置で読み取って電子変換した電子データを保存し、元の紙文書を破棄することで保存や管理のコストが削減される反面、改竄に対する脅威が増大する。読取装置で読み取る前の紙文書に改竄が加えられる場合と、読取装置で読み取る後の電子データに改竄が加えられる場合とが考えられる。後者の場合の改竄に対しては、暗号技術を応用したタイムスタンプのシステムで脅威は解消できる。具体的には、秘密鍵からしか作ることのできない署名データを検証することで改竄を検出できる。前者の場合の改竄は、物理的に何らかの痕跡が残る紙文書からなら検出が容易だが、単純にスキャンした電子データからだと検出しづらい。ここでは、元の紙書類を破棄しているので、電子データだけから改竄を検出しなければならない。電子データから改竄を検出する従来技術として、これまでいくつかのものが提案されている。
【０００４】
その中の一つとして、例えば特許文献１のように、紙文書の裏面から光を当て、紙文書を透過した光をセンサでとらえて電子データを得る技術である。紙文書の表面に別の紙を貼りつける改竄（切貼り改竄）や、修正液などによる改竄を行った部分は、他の部分より光の透過率が低くなるため、改竄部分だけ暗くなり、電子データからでも容易に改竄を検出することができる。
【０００５】
その他の従来技術として電子透かしという技術がある。この技術によれば、紙文書の作成に印刷しようとしている情報（メッセージ）から所定の規則で別情報（認証子）を作り、メッセージと認証子を共に印刷する。そして、読取装置で読み取って再び電子データとなった両者が、上述の所定の規則関係を満たしていなければ、改竄とみなす技術がある。例えば、書類の文字データ（メッセージ）のハッシュ関数値（所定の規則）から背景模様パターン（認証子）を選択し、文字と背景模様パターンを合成印刷する。紙書類の文字部分は改竄できても、改竄後の文字と所定の規則関係を満たすように背景模様パターンも改竄することは、背景模様が広範囲であり、また所定の規則が非公開なら背景模様パターンを作れないため、困難であるので、改竄を検出することができる。
【０００６】
更に、それ以外に影検知という方法がある。この方法は、例えば特許文献２及び特許文献３のように、切貼り改竄を、電子画像データの影から検出する技術である。スキャナの照明光は、切貼り部周縁の段差によって、センサ以外の方向へ反射されるので、その部分だけ暗い影ができる。この不自然な影によって、改竄を検出することができるのである。
【特許文献１】特開平１１−０３９４６８号公報
【特許文献２】第３，６０３，５５１号明細書
【特許文献３】特開平１１−０４１４５０号公報
【発明の開示】
【発明が解決しようとする課題】
【０００７】
しかし、上記特許文献１によれば、通常の読取装置（反射光利用型）とは異なる読取装置（透過光利用型）を用いるため、汎用性に欠ける問題がある。また、上記電子透かしの方法によれば、特許文献１のように特別な読取装置は不要だが、特別な方法で作成した紙文書にしか適用できないという問題がある。更に、上記特許文献２及び特許文献３によれば、修正液などのように紙文書に段差なく覆われてしまいような改竄を検出することができない問題がある。
【０００８】
本発明はこれらの問題点を解決するためのものであり、通常の紙文書を通常の読取装置で電子データに変換した場合でも改竄を検出することができる、画像処理装置、画像処理方法及び該方法を実行させるためのプログラムを格納したコンピュータ読み取り可能な記録媒体を提供することを目的とする。
【課題を解決するための手段】
【０００９】
前記問題点を解決するために、本発明の画像処理装置は、紙文書を光学的に読み取って得られた階調画像データに画像処理を施して紙文書に施された改竄を検出するための画像処理装置である。そして、本発明の画像処理装置は、階調画像データの所定の階調値を増幅し、かつ所定階調値以外の階調値を減衰する階調処理手段と、紙文書の表面を読み取って得られた第１の階調画像データと、紙文書の裏面を読み取って得られた第２の階調画像データとに基づいて算出した階調変換出力データに応じて、紙文書に改竄が施されたか否かを検出する演算手段とを有することに特徴がある。よって、通常の紙文書を通常の読取装置で電子データ化した場合でも改竄を検出できる。
【００１０】
また、演算手段は、第１及び第２の階調画像データを反転処理する反転処理手段と、反転処理手段で反転処理された第１及び第２の階調画像データの差分データを算出する差分算出手段と、差分データに基づき紙文書に改竄が施されたか否かを判断する判断手段とを有することにより、効率的に改竄を検出できる。
【００１１】
更に、演算手段は、第１及び第２の階調画像データを反転処理する反転処理手段と、反転処理手段で反転処理された第１及び第２の階調画像データに基づき電子透かし画像データを出力する電子透かし演算手段と、電子透かし画像データに基づき紙文書に改竄が施されたか否かを判断する判断手段とを有することにより、画像データの管理が容易で、かつ非公開な状況で改竄検出を行うことができる。
【００１２】
また、別の発明として画像処理方法によれば、階調画像データの所定階調値を増幅し、かつ所定階調値以外の階調値を減衰する階調処理工程と、紙文書の表面を読み取って得られた第１の階調画像データと、紙文書の裏面を読み取って得られた第２の階調画像データとに基づいて算出した階調変換出力データに応じて、紙文書に改竄が施されたか否かを検出する演算工程とを有する。よって、通常の紙文書を通常の読取装置で電子データ化した場合でも改竄を検出できる。
【００１３】
更に、別の発明として、コンピュータにより上記画像処理方法を実行させるためのプログラムを格納したコンピュータ読み取り可能な記録媒体に特徴がある。よって、既存のシステムを変えることなく、画像処理システムを汎用的に構築することができる。
【発明の効果】
【００１４】
本発明の画像処理装置は、読取装置で読み取った原稿の裏面画像を左右反転処理し階調変換処理を施した裏面画像を作成しているので、通常の読取装置であっても、改竄の検出を行うことができる。また、原稿の表面画像と裏面画像との差分画像を作成しているので、効率的に改竄の検出を行うことができる。更に、表面画像に裏面画像を埋め込んだ画像を作成しているので、画像の管理が容易で非公開な改竄の検出を行うことができる。
【発明を実施するための最良の形態】
【００１５】
図１は本発明の一実施の形態に係る画像処理装置の構成を示すブロック図である。同図に示す画像処理装置１００は、ＣＰＵ１０１と、ＣＰＵ１０１が実行する制御プログラム及びその他のデータを記憶するＲＯＭ１０２と、処理する画像や実行プログラムなどを展開する作業メモリであるＲＡＭ１０３と、読取装置によって紙文書から画像データを得る画像入力部１０４と、画像入力部１０４で得られた画像を用紙やＯＨＰシートなどの記録媒体に出力する画像出力部１０５と、スイッチやボタン等で構成される操作部１０６と、ＬＥＤやＬＣＤ等の表示部１０７と、イーサネット（登録商標）、電話回線又は無線等を介してＰＣなどの外部装置とのデータの送受信を行う回線部１０８と、ＩＣカード、ＣＤ又はＤＶＤ等の着脱可能な記憶部１０９と、画像入力部１０４で得られた紙文書の画像データを左右に反転する処理を行う左右反転処理部１１０と、左右反転処理部１１０から出力される画像データに対して後述する階調処理を施す階調処理部１１１と、画像入力部１０４で得られた紙文書の画像データと階調処理を施した画像データとの差分データを算出する差分算出部１１２と、左右反転部１１０の左右反転処理及び階調処理部１１１の階調処理を施した画像データを、画像入力部１０４で得られた画像データに埋め込む処理を行う電子透かし処理部１１３とを含んで構成される。なお、画像処置装置１００の各部は、それぞれ内部バス１１４を介して接続されている。また、画像入力部１０４によって紙文書の両面の画像データを得るためには、紙文書の表面の読み取りを行った後に手作業で読み取った紙文書を裏返しにすることで紙文書の裏面を読み取る。なお、本実施形態はこれに限らず、紙文書を自動的に裏返す機能や紙文書の両面を同時に読み取る機構を持っていてもよいことはいうまでもない。
【００１６】
さて、改竄された紙書類を読取装置で読み取った画像データの実例を示す。図２は改竄前の元画像の一例を示し、図３が改竄後の画像の一例をそれぞれ示している。図３の画像では、１つの画像で複数種の改竄が行われている。図３中の（Ａ）と（Ｂ）の部分は、小さく切った紙を図２中の（Ａ）と（Ｂ）の文字の上に貼付ける「切貼り改竄」である。図３中の（Ａ）の部分には白紙を、図３中の（Ｂ）の部分には別の文字「改ざんの実例」が印刷された紙を紙文書に切貼りしている。つまり、消去と置換の改竄とが行われている。また、図３中の（Ｃ）と（Ｄ）の部分は、修正液を紙文書の文字上に塗る「修正液改竄」である。更に、図３中の（Ｅ）と（Ｆ）の部分は、元の紙文書の文字を砂消しゴムで消す「砂消し改竄」である。紙文書に修正液や砂消しゴムを施した後、この紙文書を複写機等の画像形成装置で読み取り、図３中の（Ｄ）と（Ｆ）の位置に別の文字「改ざんの実例」を上書き印刷を行っている。つまり、図３中の（Ｄ）と（Ｆ）は置換の改竄であり、図３中の（Ｃ）と（Ｅ）は消去の改竄である。いずれも紙文書を目視すれば、一目で改竄とわかるものばかりである。しかし、これを読取装置によって読み取った画像データからでは、改竄の検出が困難となる。特に、図３中の（Ｅ）と（Ｆ）も、元の文字を完全に消しきれていれば検出することは不可能であり、図３中の（Ｂ）と（Ｄ）も、切貼りや上書きプリントの位置がずれていなければ検出することができない。また、図３中の（Ａ）も、切貼り部周縁に影がでなければ検出することはできない。更に、図３中の（Ｃ）に至っては、ほぼ検出することはできない。このように、改竄面の読取装置で得られた画像データだけでは、改竄の検出ができない場合が多い。
【００１７】
次に、この改竄された紙文書を裏面から読取装置で得られた画像データを図４に示す。ただし紙文書の裏面が白紙の例である。実際は両面に印字された文書が多く、その場合は、当然両面を読取装置で読み取ることになる。つまり両面を読取装置で読み取るのは、改竄の検出のための特別な行為ではなく、用紙に両面印字された紙文書にとって必然の行為である。図４は紙文書の裏面が白紙にもかかわらず、文書の表面側の文字が観察することができる。図５はこの文書を左右反転した画像を示す。図５中の（Ａ），（Ｂ），（Ｃ），（Ｄ）の部分に、改竄前の文字を読むことができる。本発明は、この現象を利用している。
【００１８】
次に、紙文書の裏面に改竄前の像が出る原理について図６を用いて説明する。図６は上述（Ａ）の切貼り改竄をした文書と読取装置の機構を、横から見た断面模式図である。同図の（ａ）は改竄した紙文書の表面、同図の（ｂ）は紙文書の裏面を読み取っている様子である。同図の（ａ）に示すように、読取装置の光源１１から出た光は紙文書における切貼り紙１２の表面と裏面で反射し、その反射光が光センサ１３まで到達する。よって、紙文書１４の表面で反射する光もあるが光の減衰が大きいため、ほとんど光センサ１３まで到達しない。紙文書１４の表面のインク１５の有無を反映するのは、紙文書１４の表面からの反射光だけなので、表面の画像に改竄前の像が出ることはない。一方、同図の（ｂ）からわかるように、光源１１から出た光は紙文書１４の裏面と紙文書１４の表面で反射し、その反射光が主に光センサ１３まで到達する。紙文書１４の表面からの反射光量は、紙文書１４の表面のインク１５の有無を反映するので、裏面の画像に改竄前の像が出るのである。
【００１９】
ここで、紙文書１４の裏面と表面とにインクがのっているか否かの４通りで、紙文書の画像データの階調値がどのような分布を示すか実験を行った。その結果を図７に示す。同図に示す実験では、紙文書１４の裏面から読取装置で読み取って、表面にインク１５がのっている部分、すなわち同図中の部分ｂと部分ｄを抽出することを狙っている。部分ｄは、階調値の分布が部分ｃとほとんど重なっているので抽出することができないが、部分ｂは部分ａと多少重なりがあるものの、おおむね抽出することができる。実際の紙文書で、部分ｂが存在せず全て部分ｄとなることは、あり得ない。よって、部分ｂのみの抽出であっても、改竄前の像が多少切れ切れに抽出されるだけであり、実用上の問題はない。部分ｂの分布は、８ｂｉｔ階調（明０〜暗２５５）であれば、５０前後の特定の階調値であった。よって、これに近い階調値の画素のみ抽出することができれば、改竄前の像が浮かび上がってくる。
【００２０】
そこで、本発明では、この抽出を図１の階調処理部１１１で行っている。階調処理の特性例を図８に示す。同図に示す特性図は、横軸が入力値、縦軸が出力値で、各階調値をどの階調値に変換するかを表したグラフである。本実施の形態では、階調値５０前後を２５５程度に増幅し、それ以外の階調値を０に減衰させている。
【００２１】
また、図９は本実施の形態の画像処理装置における階調処理部の構成例を示す図である。同図の（ａ）の階調処理部は、入力階調値をアドレスとし、予め定められたテーブルに格納されたデータを出力階調値として出力するテーブル変換処理を行うものである。また、同図の（ｂ）、（ｃ）の階調処理部は、入力階調値が複数設けたどの区間に属するかに応じて結線を切り替えるセレクタと、それぞれの区間における所定関数変換回路の一例である。例えば、同図の（ｂ）の階調処理部では、入力値が０〜１９であれば、セレクタは一番上の線を出力に結線する。一番上の線は、０という値に固定されている。また、入力値が２０〜４９であれば、セレクタは上から２番目の線を出力に結線する。２番目の線は、所定関数変換回路の出力である。所定関数変換回路は、Ｙ＝（２５５＊Ｘ−５１００）／３０という関数で入力値Ｘを出力値Ｙに変換する回路である。入力値Ｘが３０であれば、出力値Ｙは８５になる。図８の（ａ）及び図９の（ａ）は、図７の（ｂ）に示す分布に基づいた変換で、理想的な変換である反面、変換処理が複雑であるという問題がある。図８の（ｂ）、（ｃ）及び図９の（ｂ）、（ｃ）は、その逆である。なお、本発明で示す階調処理は、「裏写り除去」で使われるものとは異なっている。「裏写り除去」とは、両面印字の原稿を読取装置で読み取る際、透けて写る裏面の印字画像を除去する処理である。この処理で使われる階調変換処理は、図１０のように、ある範囲の階調値を減衰させるだけなので、本発明のように、途中の範囲の階調値を増幅させ、その上下の範囲の階調値を減衰させる階調処理とは異なっている。
【００２２】
次に、図８の（ａ）の階調処理を、図５の画像データに施した結果を図１１に示す。これを図３の表面画像と比較すれば、電子データでも改竄を容易に検出することができる。しかし、図３の表面画像と、図１１の裏面画像との違いから、改竄を検出する本方式には、３つの課題がある。第１の課題は、２つの画像を並べ違いを探す作業には、手間がかかると言う課題である。また、第２の課題は、１つの原稿面に対し生成した２つの画像データがバラバラにならないよう保存しなければならないと言う課題である。更に、第３の課題は、通常の画像データの他にもう１つ特別な画像データを出力することで、読取装置が改竄検出機能を有していることが明白となってしまう課題である。これは、改竄と読み取り作業を改竄者が行う場合に問題となる。この改竄者は、本発明の画像処理装置を搭載した読取装置を避け、別の読取装置を利用し、改竄の検出を免れようとするからである。これらの課題を解決する画像処理について以下に概説する。
【００２３】
図１２は本実施の形態の画像処理装置の画像処理の概略を示すブロック図である。同図において、先ず紙文書の表面を読み取った画像データＡが左右反転処理部１１０によって左右反転処理され、更に左右反転処理された画像データＡ’は階調処理部１１１によって階調処理されて階調変換画像データＡ’’として差分演算部１１２に供給される。一方、紙文書の裏面を読み取った画像データＢが左右反転処理部１１０によって左右反転処理され、更に左右反転処理された画像データＢ’は階調処理部１１１によって階調処理されて階調変換画像データＢ’’として差分演算部１１２に供給される。その上で、差分演算部１１２は、先ず紙文書の表面の画像データＡと階調変換画像データＢ’’との差分を算出して差分画像データｆ（Ａ，Ｂ’’）を出力する。また、差分演算部１１２は、紙文書の裏面の画像データＢと階調変換画像データＡ’’との差分を算出して差分画像データｆ（Ｂ，Ａ’’）を出力する。つまり、本実施の形態例の画像処理装置は、原稿の一面の画像データと、その逆の面の画像データを左右反転処理し階調処理した画像データとの差分処理を行っている画像処理を、原稿の表面と裏面にそれぞれ行っている。この差分画像データで、画素値が０でない部分、つまり図３の表面画像と図１１の裏面画像との違いの部分に改竄の疑いがあると判断できる。２つの画像データでなく、１つの差分画像データで改竄検出が行えるので、上記第１の課題が解決されている。改竄検出は人間が目視で行ってもよいし、自動的に行ってもよい。自動的に行えば、上記第１の課題がさらに効率良く解決されていることになる。自動的な改竄判定の一例としては、差分画像データの画素値の絶対値を所定の小面積で合計し、これが閾値を超えた部分があるか否かで行うことができる。例えば、差分画像データを１ｃｍ四方のブロック単位に分割し、そこに含まれる全画素値の絶対値を合計し、これが所定の閾値を超えていれば、そのブロックに改竄があったと判定する。ただし、この判定方式には、「ズレ」と「ノイズ」の問題がある。表面画像データと裏面画像データは、１つの読取装置を２回動かして得たものなので、読取機構と原稿の位置関係、読取機構の動作条件などを、完全に同一にすることができない。この結果、両画像データには縦横位置、角度、倍率などの微小な「ズレ」が生じてしまう。また、裏面画像は、図７の（ｂ）のように、かなりダイナミックレンジが狭いので、多くの「ノイズ」が混入してしまう。差分画像データは、この「ズレ」や「ノイズ」の影響を受け、改竄でない部分にも、０でない差分値を生じてしまう。この問題は、位置合わせ処理、ノイズ除去フィルタ処理などを加えることで、解決可能である。
【００２４】
図１３は本実施の形態の画像処理装置の別の画像処理の概略を示すブロック図である。同図において、先ず紙文書の表面を読み取った画像データＡが左右反転処理部１１０によって左右反転処理され、更に左右反転処理された画像データＡ’は階調処理部１１１によって階調処理されて階調変換画像データＡ’’として電子透かし演算部１１３に供給される。一方、紙文書の裏面を読み取った画像データＢが左右反転処理部１１０によって左右反転処理され、更に左右反転処理された画像データＢ’は階調処理部１１１によって階調処理されて階調変換画像データＢ’’として電子透かし演算部１１３に供給される。その上で、電子透かし演算部１１３は、先ず紙文書の表面の画像データＡに階調変換画像データＢ’’を埋め込む電子透かし演算を行い電子透かし画像データｆ’（Ａ，Ｂ’’）を出力する。また、電子透かし演算部１１３は、紙文書の裏面の画像データＢに階調変換画像データＡ’’を埋め込む電子透かし演算を行い電子透かし画像データｆ’（Ｂ，Ｂ’）を出力する。つまり、本実施の形態の画像処理装置は、紙文書の一面の画像データに、その逆の面の画像データを左右反転処理し階調変換処理した画像を埋め込む電子透かし処理を行っている画像処理を紙文書の表面と裏面とにそれぞれ行っている。このように、２つの画像データを１つの画像データにしているので、上記第２、第３の課題が解決されている。電子透かし処理とは、画像データ（表面画像）の画像品質を壊さないように、このデータに別のデータである画像データ（裏面画像）を埋め込む処理である。表面画像データ（8bit階調のグレースケール画像とする）の最下位1bitを、裏面画像データの最上位1bitに置換した埋込画像を作る電子透かし処理の例を、図１４に示す。埋込画像は、ほとんど元の表面画像と同じに見えるが、２値化した裏面画像の情報も含んでいる。埋込画像の最下位1bitを取り出すことで、再び２つの画像に分けることができる。この２つの画像データを比較し、２つの画像データの違いの部分に改竄の疑いがあると判断できる。また、埋込画像データのみを出力するだけなので、改竄検出機能がないように見せかけることができる。
【００２５】
なお、本発明は以上の説明に限定するものではない。例えば電子透かし処理も、実空間でなく周波数空間で埋め込む方式であってもよいし、非可逆圧縮に耐性のある方式であってもよい。本発明で生成した画像データにタイムスタンプ処理を加えてもよい。
【００２６】
次に、図１５は本発明の画像処理方法の実施の形態をコンピュータに実行させるプログラムを起動するための具体的な装置の構成を示すブロック図である。つまり、同図は上記実施例における画像処理方法によるソフトウェアを実行させるマイクロプロセッサ等から構築されるハードウェアを示すものである。同図において、画像処理システムはインターフェース（以下Ｉ／Ｆと略す）２１、ＣＰＵ２２、ＲＯＭ２３、ＲＡＭ２４、表示装置２５、ハードディスク２６、キーボード２７及びＣＤ−ＲＯＭドライブ２８を含んで構成されている。また、汎用の処理装置を用意し、ＣＤ−ＲＯＭなどの読取可能な記録媒体２９には、本発明の画像処理方法を実行するプログラムが記憶されている。更に、Ｉ／Ｆ２１を介して外部装置から制御信号が入力され、キーボード２７によって操作者による指令又は自動的に本発明のプログラムが起動される。そして、ＣＰＵ２２は当該プログラムに従って上述の画像処理方法に伴う画像処理を施し、その処理結果をＲＡＭ２４やハードディスク２８等の記憶装置に格納し、必要により表示装置２５などに出力する。以上のように、本発明の画像処理方法を実行するプログラムが記録した記録媒体を用いることにより、既存のシステムを変えることなく、画像処理システムを汎用的に構築することができる。
【００２７】
なお、本発明は上記実施の形態に限定されるものではなく、特許請求の範囲内の記載であれば多種の変形や置換可能であることは言うまでもない。
【図面の簡単な説明】
【００２８】
【図１】本発明の一実施の形態に係る画像処理装置の構成を示すブロック図である。
【図２】改竄前の元画像の一例を示す図である。
【図３】改竄後の画像の一例を示す図である。
【図４】改竄された紙書類を裏面から読取装置で得られた画像データを示す図である。
【図５】図４の画像を左右反転した画像を示す図である。
【図６】切貼り改竄をした文書と読取装置の機構を横から見た断面模式図である。
【図７】裏面と表面におけるインクに対する画像の階調値分布の実験を示す図である。
【図８】階調変換処理の特性例を示す特性図である。
【図９】本実施の形態の画像処理装置における階調処理部の構成例を示す図である。
【図１０】入出力における階調値の減衰の様子を示す特性図である。
【図１１】図８の（ａ）の階調処理を図５の画像データに施した結果を示す図である。
【図１２】本実施の形態の画像処理装置の画像処理の概略を示すブロック図である。
【図１３】本実施の形態の画像処理装置の別の画像処理の概略を示すブロック図である。
【図１４】電子透かし処理の一例を示す図である。
【図１５】本発明の画像処理方法の各実施の形態をコンピュータに実行させるプログラムを起動するための具体的な装置の構成を示すブロック図である。
【符号の説明】
【００２９】
１００；画像処理装置、１１０；左右反転処理部、
１１１；階調処理部、１１２；差分演算部、
１１３；電子透かし演算部。
【図１】
2007124616.tif 000003
【図２】
2007124616.tif 000004
【図３】
2007124616.tif 000005
【図４】
2007124616.tif 000006
【図５】
2007124616.tif 000007
【図６】
2007124616.tif 000008
【図７】
2007124616.tif 000009
【図８】
2007124616.tif 000010
【図９】
2007124616.tif 000011
【図１０】
2007124616.tif 000012
【図１１】
2007124616.tif 000013
【図１２】
2007124616.tif 000014
【図１３】
2007124616.tif 000015
【図１４】
2007124616.tif 000016
【図１５】
2007124616.tif 000017